(57)【要約】      （修正有）【課題】固定的なユーザ間でのより迅速なデータ交換を可能にし、かつセキュリティ上の安全性に優れたデータ送付システムを提供する。【解決手段】ユーザＡからユーザＢにデータを送付するシステム１００において、ユーザＡのデータベースを暗号化して格納しているデータストアＡ１３０と、ユーザＢのデータベースを暗号化して格納するデータストアＢ１４０を有するクラウドサービス１２０を少なくとも有し、データストアＡ１３０は、クラウドサービス１２０外からの前記ユーザＡから前記ユーザＢへのデータ送付情報を受信したとき、データストアＡ１３０内の暗号化データをユーザＢの公開キーで暗号化してデータストアＢ１４０に転送し、データストアＢ１４０は、該暗号化データあるいはそれを更に暗号化したデータをデータストアＢ１４０内に格納するとともに、前記クラウドサービス１２０外の前記ユーザＢに前記ユーザＡからのデータ送付情報を送信する。【選択図】図１
2012042782.tif 000002
【特許請求の範囲】
【請求項１】
ユーザＡからユーザＢにデータを送付するシステムにおいて、
ユーザＡのデータベースを暗号化して格納しているデータストアＡと、ユーザＢのデータベースを暗号化して格納するデータストアＢを有するクラウドサービスを少なくとも有し、
前記データストアＡは、前記クラウドサービス外からの前記ユーザＡから前記ユーザＢへのデータ送付情報を受信したとき、前記データストアＡ内の暗号化データをユーザＢの公開キーで暗号化して前記データストアＢに転送し、
前記データストアＢは、前記データストアＡから前記Ｂの公開キーで暗号化されたデータの転送を受けたとき、該公開キーで暗号化されたデータあるいは該公開キーで暗号化されたデータを更に暗号化したデータを該データストアＢ内に格納するとともに、前記クラウドサービス外の前記ユーザＢに前記ユーザＡからのデータ送付情報を送信する、
ことを特徴とするデータ送付システム。
【請求項２】
前記送付されるデータが、製品設計ＣＡＤデータおよび該製品設計ＣＡＤデータと関連する生産指示データであることを特徴とする請求項１記載のデータ送付システム。
【請求項３】
前記製品設計ＣＡＤデータが、アパレル製品の設計ＣＡＤデータであることを特徴とする請求項２記載のデータ送付システム。
【発明の詳細な説明】
【技術分野】
【０００１】
本発明は、固定的なユーザ間でのより迅速なデータ交換を可能にし、かつセキュリティ上の安全性に優れたデータ送付システムに関する。
【背景技術】
【０００２】
従来、例えば、ＣＡＤデータ方式による製品の設計データとその製品についての生産指示書データ（例えば縫製仕様書）等のデジタルデータを、衣料品メーカ−縫製工場−商社間などで相互に交換・送付することが行われ、生産の効率化やクイックレスポンス化に役立っている。
【０００３】
従来は、このようなデータ交換は、電子メールに添付ファイルとして添付することや、データが記録された各種メディア（ＣＤ、ＤＶＤ等）を送付することにより行われることが多かった。
【０００４】
また、近年は、ＦＴＰ（ファイル転送プロトコル）等のネット上の共用フォルダを利用してファイルの転送を行うこともなされているが、その利用には、多量のデータをメールで送信したりあるいは共用フォルダへ転送するのに時間がかかりすぎるという問題があり、さらにはセキュリティ上も決して安全とは言えなかった。
【０００５】
デジタル情報を配送するシステムとして、例えば、デジタルコンテンツを暗号化する第１暗号化手段と、その暗号化手段によって暗号化されたデジタルコンテンツをユーザに配送する第１配送手段と、そのサーバに互いに対となる第１秘密キーと第１公開キーとを設定するとともに、そのユーザに第１公開キーと、互いに対となる第２秘密キーと第２公開キーとを設定する設定手段と、その第１公開キーによって暗号化された第２公開キーを受信する受信手段と、その受信手段によって受信した暗号化された第２公開キーを第１秘密キーにより復号化することで、第２公開キーを得るとともに、第２公開キーに基づいて、第１暗号化手段によって暗号化されたデジタルコンテンツを元のデジタルコンテンツに復元するためのセッションキーを暗号化する第２暗号化手段と、第２暗号化手段によって暗号化されたセッションキーをユーザに配送する第２配送手段と、を有することを特徴とするデジタルコンテンツ配送装置が提案されている（特許文献１）。
【０００６】
しかし、このような方式では、固定的なユーザ間でより迅速なデータ交換が要請されるような場合には処理の迅速性の点でそぐわず、また、通信回数が多くなること自体がセキュリティの安全性で良くないことであり改善が要請されるものであった。
【先行技術文献】
【特許文献】
【０００７】
【特許文献１】特開２００２−３５３９５１号公報
【発明の概要】
【発明が解決しようとする課題】
【０００８】
本発明の目的は、上述したような点に鑑み、固定的なユーザ間でのより迅速なデータ交換を可能にし、かつセキュリティ上の安全性に優れたデータ送付システムを提供することにある。
【課題を解決するための手段】
【０００９】
上述した目的を達成する本発明のデータ送付システムは、以下の（１）の構成を有する。
（１）ユーザＡからユーザＢにデータを送付するシステムにおいて、
ユーザＡのデータベースを暗号化して格納しているデータストアＡと、ユーザＢのデータベースを暗号化して格納するデータストアＢを有するクラウドサービスを少なくとも有し、
前記データストアＡは、前記クラウドサービス外からの前記ユーザＡから前記ユーザＢへのデータ送付情報を受信したとき、前記データストアＡ内の暗号化データをユーザＢの公開キーで暗号化して前記データストアＢに転送し、
前記データストアＢは、前記データストアＡから前記Ｂの公開キーで暗号化されたデータの転送を受けたとき、該公開キーで暗号化されたデータあるいは該公開キーで暗号化されたデータを更に暗号化したデータを該データストアＢ内に格納するとともに、前記クラウドサービス外の前記ユーザＢに前記ユーザＡからのデータ送付情報を送信する、
ことを特徴とするデータ送付システム。
【００１０】
また、かかる本発明のデータ送付システムにおいて、具体的に好ましくは、以下の（２）または（３）の構成を有する。
（２）前記送付されるデータが、製品設計ＣＡＤデータおよび該製品設計ＣＡＤデータと関連する生産指示データであることを特徴とする上記（１）記載のデータ送付システム。
（３）前記製品設計ＣＡＤデータが、アパレル製品の設計ＣＡＤデータであることを特徴とする上記（２）記載のデータ送付システム。
【発明の効果】
【００１１】
請求項１にかかる本発明によれば、固定的なユーザ間でのより迅速なデータ交換を可能にし、かつセキュリティ上の安全性に優れたデータ送付システムが提供される。
【００１２】
請求項２にかかる本発明によれば、請求項１にかかる本発明の効果を得ながら、特に、製品設計ＣＡＤデータおよび該製品設計ＣＡＤデータと関連する生産指示データ等を送付できるデータ送付システムが提供される。
【００１３】
請求項３にかかる本発明によれば、特に、請求項１、同２にかかる本発明の効果を有するアパレル製品設計用のデータ送付システムが提供される。
【図面の簡単な説明】
【００１４】
【図１】本発明のデータ送付システムを説明するブロック図である。
【発明を実施するための形態】
【００１５】
以下、更に詳しく本発明のデータ送付システムについて、説明する。
【００１６】
本発明のデータ送付システム１００は、図１にそのブロック図を示したように、
ユーザＡからユーザＢにデータを送付するシステムにおいて、
ユーザＡのデータベースを暗号化して格納しているデータストアＡ１３０と、ユーザＢのデータベースを暗号化して格納するデータストアＢ１４０を有するクラウドサービス１２０を少なくとも有し、
データストアＡ１３０は、クラウドサービス１２０外からのユーザＡのデバイス１１０からユーザＢへのデータ送付情報を受信したとき、データストアＡ１３０内の暗号化データをユーザＢの公開キーで暗号化してその暗号化データ１５０をデータストアＢ１４０に転送し、
データストアＢ１４０は、データストアＡ１３０からユーザＢの公開キーで暗号化されたデータ１５０の転送を受けたとき、該公開キーで暗号化されたデータ１５０あるいは該暗号化されたデータを更に暗号化したデータをデータストアＢ１４０内に格納するとともに、クラウドサービス１２０外のユーザＢ１６０のデバイス１６０にユーザＡからのデータ送付を行ったとの情報を送信する、
ことを特徴とする。
【００１７】
ユーザＡのデバイス１１０およびユーザＢのデバイス１６０は、それぞれコンピュータ、または他のタイプのコンピューティングハードウェアに対応し得るものであればよい。例えば、ユーザＡ、Ｂは、パーソナルコンピュータ（ＰＣ）、モバイルフォン、パーソナルデジタルアシスタント（ＰＤＦ）、あるいは公衆コンピュータ端末等を用いてアクセスすることができる。
【００１８】
「クラウド」は、オフ・サイト・パーティ（例えば、第三者）によって提供および維持される資源の集まり（例えば、ハードウェアおよび／またはソフトウェア）を指しており、それら資源の集まりは、識別されたユーザによってネットワーク（例えば、インターネット、ＷＡＮ）を通じてアクセスできる。識別されたユーザ以外のユーザはアクセスができない。それら資源は、データ記憶サービス、セキュリティサービス、データ暗号化サービス、データ送受信サービスおよび／もしくは、多くの他のサービスを含むサービス（従来からなされているパーソナルコンピュータやローカルサーバと関連するアプリケーションのサービスも含む）等を提供するものとして、当業界では広く知られているものである。
【００１９】
本発明でクラウドサービス１２０は、具体的には、少なくとも、特定の機能を提供する数個のコンポーネント（識別コンポーネント、保護コンポーネント、暗号化コンポーネント）を有するものであり、識別コンポーネントは、ユーザの識別を確立し、その識別の正当性を立証し、または本人であることを確認するメカニズムを有している。これはデータストア１３０、データストア１４０内に識別データを格納し、ここから識別データを取り出すことで達成される。
【００２０】
保護コンポーネントは、コンテンツに対してセキュリティ／アクセス制御を、識別コンポーネントにより提供されるユーザ識別に少なくとも部分的に基づいて提供する。
【００２１】
暗号化コンポーネントは、識別コンポーネントにより提供されるユーザ識別に基づいて、そのユーザに対応してデータを暗号化して、保護されたコンテンツおよびキーを含むデータを保護コンポーネントに格納する。いったん識別が確立されると、コンテンツを、デバイスと関連付けてさらに特定のユーザと関連付けることができる。本発明では、ユーザＡを識別すると、データストアＡ１３０で、ユーザＡに固有に対応した暗号化法で、データの暗号化と格納を行う。また、必要に応じて、ユーザＡのアクセスに応じて、暗号化されたデータやコンテンツのユーザＡへの送付が行われる。ユーザＡは、その暗号化されたデータやコンテンツを、ユーザＡのデバイス１１０を介して復合化して利用や編集をすることができる。
【００２２】
データストアＡ１３０は、データストアＡ内に暗号化されて格納されているデータやコンテンツについて、ユーザＡから、ユーザＢへの送付情報を受けたとき、該データやコンテンツ等をユーザＢの公開キーを用いて暗号化して、ユーザＢの公開キーでの暗号データ１５０としてデータストアＢ１４０へ送付する。公開キーは、通常はユーザＢにより設定されているか、あるいはユーザＡによりユーザＢ専用の公開キーとして設定されている。
【００２３】
該ユーザＢの公開キーによって暗号化されてかつデータストアＢ１４０に送付された暗号化データ１５０やコンテンツは、データストアＢ１４０がユーザＢを識別することにより該データストアＢ１４０に格納がされる。
【００２４】
データストアＢ１４０は、具体的には、前記データストアＡから前記Ｂの公開キーで暗号化されたデータの転送を受けたとき、該公開キーで暗号化された暗号化データ１５０のままで、あるいは、さらにユーザＢにより復号され得る暗号化をして後、その暗号化データをデータストアＢ１４０内に格納する。
【００２５】
暗号化されたデータやコンテンツがデータストアＢ１４０に格納されたとき、そのことが、データストアＢ１４０から自動的にまたはユーザＢのアクセスに応じて、ユーザＢへ送付情報として送付され、ユーザＢは、デバイス１６０を介してユーザＡからデータ等が送付されデータストアＢ１４０に到着し格納されたことを認識できる。
【００２６】
そして、ユーザＢは、デバイス１６０を介して、データストア１４０上で暗号化されたデータやコンテンツを復合化して利用することや閲覧することができる。さらに、デバイス１６０中に、暗号化されたままであるいは復号化した状態で格納して、データの編集などをすることができる。
【００２７】
本発明において、公開キーとは、一般に「公開キー（公開鍵）暗号化方式」で使用されるものであって、一エンティティの非対称キーペアのうち公開される側のキーを意味する。該一エンティティの非対称キーペアのうちの公開されない側のキーは「秘密キー」と呼ばれるが、本発明では、基本的にユーザＢの公開キーを、データストアＡ１３０からデータストアＢ１４０へ転送する際の暗号化に用い、ユーザＢがその非対称キーペアのうちの秘密キーを暗号化データの復号化に用いてそのデータを利用する。
【００２８】
なお、データストアＡ１３０にて暗号化されて格納されるデータ等の暗号化と復号化にも、上記「公開キー（公開鍵）暗号化方式」の公開キーあるいは秘密キーを使用して行うことができる。また、そのユーザＢの公開キーで暗号化されたデータを、さらに暗号化してデータストアＢ１４０内に格納するときも同様である。
【００２９】
なおまた、上述した公開キーと同様の機能・作用効果を有するものであれば、一般に、暗号化方式上、「公開キー」とは呼ばれない暗号化キーであっても本発明で使用することができるものであり、本発明の範囲に含まれるものである。
【００３０】
本発明のデータ送付システムは、固定的なユーザ間でのより迅速なデータ交換を可能にし、かつセキュリティの安全性に優れたデータ送付を実現するものである。
【００３１】
上記説明では、ユーザＡからユーザＢにデータを送付する場合で説明をしたが、ユーザＢからユーザＡに逆にデータを送付したいときには、ユーザＡとユーザＢを置き換えて同様のフローで行えばよい。
【００３２】
本発明のデータ送付システムは、特に限定されるものではないが、一般に文字データ・図形データなどのデータ量が非常に多いＣＡＤデータ方式による衣料製品の設計データとその製品についての生産指示書データ（例えば縫製仕様書）等のデジタルデータを、衣料品メーカ−縫製工場−商社間などで送付するとき等に使用されると、生産の効率化やクイックレスポンス化、セキュリティの確保に顕著な効果を発揮する。
【符号の説明】
【００３３】
１００：データ送付システム
１１０：デバイスＡ
１２０：クラウドサービス
１３０：データストアＡ
１４０：データストアＢ
１５０：ユーザＢの公開キーでの暗号データ
１６０：デバイスＢ
【図１】
2012042782.tif 000003